(57)【要約】【課題】ボールペン等の筆記用リフィルを先端側に備え、電磁誘導方式の電磁誘導リフィルを後端側に備えることで、筆記用リフィルと電磁誘導リフィルとの切替作業を行う必要がない多機能ペンを提供する。【解決手段】先端と後端とにそれぞれ開口部を有する軸筒と、前記軸筒の内部に収容され、前記先端の開口部から露出した筆記先端を有する筆記用リフィルと、前記軸筒の内部に収容され、前記後端の開口部から露出し、電磁誘導方式による入力に用いられる電磁誘導リフィルと、を備える。【選択図】図２
2019101475.tif 000002
【特許請求の範囲】
【請求項１】
先端と後端とにそれぞれ開口部を有する軸筒と、
前記軸筒の内部に収容され、前記先端の開口部から露出した筆記先端を有する筆記用リフィルと、
前記軸筒の内部に収容され、前記後端の開口部から露出し、電磁誘導方式による入力に用いられる電磁誘導リフィルと、
を備えることを特徴とする多機能ペン。
【請求項２】
前記筆記用リフィルの後端側の軸心と、前記電磁誘導リフィルの軸心とは不一致であることを特徴とする請求項１に記載の多機能ペン。
【請求項３】
前記軸筒の内部には、複数の前記筆記用リフィルが収容されていることを特徴とする請求項１又は請求項２に記載の多機能ペン。
【請求項４】
前記多機能ペンの重心は、前記軸筒の軸方向の中央よりも後端側にあることを特徴とする請求項１から請求項３の何れか１項に記載の多機能ペン。
【請求項５】
前記電磁誘導リフィルは、前記軸筒の軸心上に配置されていることを特徴とする請求項１から請求項４の何れか１項に記載の多機能ペン。
【発明の詳細な説明】
【技術分野】
【０００１】
本発明は、多機能ペンに関する。
【背景技術】
【０００２】
近年、画面上への物理的な接触により入力を行う、デジタイザ等のポインティングデバイスが広く用いられている。すなわち、ペン型に形成された位置指示器で、位置検出装置が設けられた板状の入力装置の入力面に接触して接触位置を検出するものである。
【０００３】
このようなデジタイザには様々な方式があるが、その中に、電磁誘導方式がある。これは、位置指示器の中に、入力装置の入力面の下に設置されている位置検出装置が発生する特定の周波数の電磁波に対して共振する電磁誘導コイルが設けられていて、この共振が生じた位置を入力位置として認識するものである。
【０００４】
このような電磁誘導方式を用いた位置指示器としては、下記特許文献１や下記特許文献２に記載されたものがある。
【先行技術文献】
【特許文献】
【０００５】
【特許文献１】ＷＯ  ２０１６／１２１４７８  Ａ１
【特許文献２】ＷＯ  ２０１６／１２９６１４  Ａ１
【発明の概要】
【発明が解決しようとする課題】
【０００６】
上記特許文献１や上記特許文献２に記載の位置指示器は、ボールペンの芯と電磁誘導方式の電子ペン芯とを備えたものである。そして、これらの上記特許文献１や上記特許文献２に記載の位置指示器では、ボールペンの芯の使用状態から電子ペン芯の使用状態に切り替えるためにノック操作部の操作が必要となっており、切替作業が煩わしいとの問題点を有する。
【０００７】
そこで、本発明は、ボールペン等の筆記用リフィルを先端側に備え、電磁誘導方式の電磁誘導リフィルを後端側に備えることで、筆記用リフィルと電磁誘導リフィルとの切替作業を行う必要がない多機能ペンを提供することを課題とする。
【課題を解決するための手段】
【０００８】
上記課題を解決するために、本発明は、以下のような構成を備える。
（１）第１の態様
本発明の第１の態様は、先端と後端とにそれぞれ開口部を有する軸筒１０と、前記軸筒１０の内部に収容され、前記先端の開口部から露出した筆記先端を有する筆記用リフィル４０と、前記軸筒１０の内部に収容され、前記後端の開口部から露出し、電磁誘導方式による入力に用いられる電磁誘導リフィル５０と、を備えることを特徴とする。
【０００９】
（２）第２の態様
本発明の第２の態様は、第１の態様の特徴に加え、前記筆記用リフィル４０の後端側の軸心と、前記電磁誘導リフィル５０の軸心とは不一致であることを特徴とする。
【００１０】
（３）第３の態様
本発明の第３の態様は、第１又は第２の態様の特徴に加え、前記軸筒１０の内部には、複数の前記筆記用リフィル４０が収容されていることを特徴とする。
【００１１】
（４）第４の態様
本発明の第４の態様は、第１、第２又は第３の態様の特徴に加え、前記多機能ペン５の重心は、前記軸筒１０の軸方向の中央よりも後端側にあることを特徴とする。
【００１２】
（５）第５の態様
本発明の第５の態様は、第１、第２、第３又は第４の態様の特徴に加え、前記電磁誘導リフィル５０は、前記軸筒１０の軸心上に配置されていることを特徴とする。
【発明の効果】
【００１３】
本発明によれば、ボールペン等の筆記用リフィルを先端側に備え、電磁誘導方式の電磁誘導リフィルを後端側に備えることで、筆記用リフィルと電磁誘導リフィルとの切替作業を行う必要がない多機能ペンを提供することができる。
【図面の簡単な説明】
【００１４】
【図１】第１の実施形態における多機能ペンの保管状態の側面図（Ａ）及び使用状態の側面図（Ｂ）である。
【図２】第１の実施形態における多機能ペンの保管状態の側面断面図（Ａ）及び使用状態の側面断面図（Ｂ）である。
【図３】第１の実施形態における軸筒の後端側の斜視図である。
【図４】第１の実施形態における後軸を取り外した状態の軸筒の後端側の斜視図である。
【図５】第１の実施形態における電磁誘導リフィルの側面図（Ａ）及び斜視図（Ｂ）である。
【図６】第２の実施形態における多機能ペンの保管状態の側面図（Ａ）及び使用状態の側面図（Ｂ）である。
【図７】第２の実施形態における多機能ペンの保管状態の側面断面図（Ａ）及び使用状態の側面断面図（Ｂ）である。
【図８】第２の実施形態における軸筒の後端側の斜視図である。
【図９】第２の実施形態における筆記用リフィルの後端側、電磁誘導リフィル及び軸筒の軸心を示す概念図である。
【図１０】第３の実施形態における多機能ペンの保管状態の側面図（Ａ）及び使用状態の側面図（Ｂ）である。
【図１１】第３の実施形態における後軸の斜視図（Ａ）及び側面断面図（Ｂ）である。
【図１２】第３の実施形態におけるスライドカバーの斜視図（Ａ）及び側面断面図（Ｂ）である。
【図１３】第３の実施形態における多機能ペンの後端側の保管状態の側面拡大断面図（Ａ）及び使用状態の側面拡大断面図（Ｂ）である。
【図１４】第４の実施形態における多機能ペンの保管状態の側面図（Ａ）及び使用状態の側面図（Ｂ）である。
【図１５】第４の実施形態における多機能ペンの後端側の保管状態の側面拡大断面図（Ａ）及び使用状態の側面拡大断面図（Ｂ）である。
【図１６】第４の実施形態における土台の斜視図（Ａ）及び側面図（Ｂ）である。
【図１７】第４の実施形態における回転体の斜視図（Ａ）及び側面断面図（Ｂ）である。
【図１８】第４の実施形態における移動体の斜視図（Ａ）及び側面断面図（Ｂ）である。
【図１９】第５の実施形態における多機能ペンの保管状態の側面図（Ａ）及び使用状態の側面図（Ｂ）である。
【図２０】第５の実施形態における多機能ペンの後端側の保管状態の側面拡大断面図（Ａ）及び使用状態の側面拡大断面図（Ｂ）である。
【図２１】第５の実施形態における軸筒の後端側の斜視図（一部断面図）である。
【図２２】第６の実施形態における多機能ペンの保管状態の側面図（Ａ）及び使用状態の側面図（Ｂ）である。
【図２３】第６の実施形態における多機能ペンの保管状態の側面断面図（Ａ）及び使用状態の側面断面図（Ｂ）である。
【図２４】第６の実施形態における誘導部の斜視図（Ａ）及び側面断面図（Ｂ）である。
【発明を実施するための形態】
【００１５】
（第１の実施形態）
本発明の第１の実施形態を、図面を参照しつつ説明する。なお、他の定義がない限り、以下の説明における「先端側」とは、多機能ペン５Ａの軸方向のうち、後述する先軸１２に向かう一方側をいい、「後端側」とは、後述する後軸１４に向かう他方側をいう。
【００１６】
（１）多機能ペン５Ａ外観
第１の実施形態に係る多機能ペン５Ａは図１（Ａ）及び（Ｂ）に示すような外観を呈する。
この多機能ペン５Ａは、その外部構造として、その先端と後端とにそれぞれ開口部を有する軸筒１０を備えている。この軸筒１０は、後端側に位置する後軸１４と、先端側に位置する先軸１２とが互いに螺合されて形成される。そして、先軸１２の先端には、後述する筆記用リフィル４０のボールペンチップ４４が出没可能な先端開口１２Ａ（図１参照）が形成され、後軸１４の後端には、後述する電磁誘導リフィル５０が露出する後端開口１４Ｂ（図２参照）が形成されている。なお、図１（Ａ）は、後述する電磁誘導リフィル５０が被覆されている保管状態を示しており、図１（Ｂ）は、後述する電磁誘導リフィル５０が露出している使用状態を示している。
【００１７】
図３に示すように、後軸１４の後端側には、軸方向に沿った長孔である窓孔１４Ａが３つ形成されている。各窓孔１４Ａからは、後述する筆記用リフィル４０の後方に装着される２本のノック棒３０、及び１本の後述する電磁誘導リフィル５０が露出している。また、ノック棒３０は、対応する窓孔１４Ａに沿って前後に移動可能である。一方、電磁誘導リフィル５０は、対応する窓孔１４Ａに沿って前後に移動することができない。なお、第１の実施形態では、「筆記用リフィル４０」として「ボールペンリフィル」を用いている。
【００１８】
また、図１（Ａ）に示すように、後軸１４の後端側を覆うキャップ２０の先端からは、その後端側に向けて軸方向に開口したキャップ孔２２が各窓孔１４Ａに対応するように形成されている。このキャップ孔２２は、各窓孔１４Ａに対応する寸法で形成されている。そのため、図１（Ａ）に示す保管状態でも、窓孔１４Ａ及びキャップ孔２２を通じてノック棒３０が露出している。そして、このキャップ２０は、後軸１４に対して着脱可能とされている。これにより、図１（Ａ）に示す保管状態では、キャップ２０が電磁誘導リフィル５０を覆っており、図１（Ｂ）に示す使用状態に比べて、落下時の衝撃等から電磁誘導リフィル５０が保護されている。一方、図１（Ｂ）に示す使用状態では、後軸１４からキャップ２０が取り外されて電磁誘導リフィル５０が露出している。詳細は後述するが、この使用状態でスマートフォン等の入力装置の入力面を電磁誘導リフィル５０でなぞると、その入力装置に文字等を描くことができる。
【００１９】
（２）多機能ペン５Ａ内部
図２（Ａ）及び（Ｂ）は、図１（Ａ）及び（Ｂ）に示す多機能ペン５Ａに各々対応する断面図である。
図２に示すように、後軸１４の内部空間の後端側には、各ノック棒３０及び電磁誘導リフィル５０を収容するとともに、ノック棒３０の前後の移動を導く内筒６０が配置されている。この内筒６０には、図４に示すように、各ノック棒３０及び電磁誘導リフィル５０を収容するための収容溝６２が軸方向に沿って形成されている。
【００２０】
図２に示すように、後軸１４の内部空間における内筒６０よりも先端側には、各筆記用リフィル４０の前後の移動を導くガイド筒７０が配置されている。ガイド筒７０には、筆記用リフィル４０及び電磁誘導リフィル５０が挿入されるガイド孔７２（図４参照）が計３個設けられている。
【００２１】
図４に示すように、ガイド孔７２のうちの図示しない２個には、２本の筆記用リフィル４０が挿入されている。筆記用リフィル４０は、図２に示すように、インクを収容する管状のインク収容管４２の先端に、筆記先端としてのボールペンチップ４４が接続された構造である。また、筆記用リフィル４０の後端側の外周にはスプリング４８が外挿されている。さらに、筆記用リフィル４０の後端には、ノック棒３０が接続されている。このスプリング４８は、その後端がノック棒３０に接触され、その先端がガイド筒７０の図示しない段差に接触されている。そのため、スプリング４８は、ノック棒３０の先端側への移動に伴い、ノック棒３０とガイド筒７０の図示しない段差との間で圧縮することとなっている。そして、一のノック棒３０が先端側へ移動されると、先端開口１２Ａから一のボールペンチップ４４が露出し、一のボールペンチップ４４が露出した状態で、他のノック棒３０が先端側へ移動されると、一のボールペンチップ４４が先軸１２に没入し、他のボールペンチップ４４が先端開口１２Ａから露出する。
【００２２】
図４に示すように、ガイド孔７２のうちの１個には、１本の電磁誘導リフィル５０が挿入されている。
電磁誘導リフィル５０の詳細構造については図示しないが、この電磁誘導リフィル５０は、電磁誘導方式による入力に用いられるものであって、たとえば、以下の構成から成る。なお、以下の説明において、電磁誘導リフィル５０における「先端側」とは、電磁誘導リフィル５０の筆記側、すなわち、後端開口１４Ｂから露出する側をいい、電磁誘導リフィル５０における「後端側」とは、その反対側をいう。
【００２３】
電磁誘導リフィル５０は、図５に示すように、樹脂製の収容筒５１を備えている。この収容筒５１の先端側には、棒状のフェライトコアが内蔵され、フェライトコアの先端に、たとえばポリアセタールのような合成樹脂製の接触先端が装着されている。また、フェライトコアの周囲には電磁誘導コイルが外挿されている。さらに、収容筒５１の内部空間におけるフェライトコアよりも後端側には、電磁誘導コイルと電気的に接続された静電容量可変のコンデンサと静電容量固定のコンデンサと共振周波数を微調整するための各種受動素子が収容されている。また、収容筒５１の外部における後端側には、環状のリング部５２が設けられ、そのリング部５２の後端側には、固定部５３が設けられている。電磁誘導リフィル５０は、このリング部５２がガイド筒７０に接触するまでガイド孔７２に固定部５３が挿入されることで、ガイド筒７０に装着される。さらに、収容筒５１の外周面には、外側に突出した突起部５４が形成されている。この突起部５４は、内筒６０の図示しないレール部と係合することで、電磁誘導リフィル５０の位置ずれを抑制している。なお、電磁誘導リフィル５０は内筒６０及びガイド筒７０に対して着脱可能とされており、接触先端が摩耗したり、内蔵する電子機器類が故障したりした際には、容易に新品と交換することができる。
【００２４】
（３）その他の特徴
ここで、第１の実施形態では、筆記用リフィル４０の後端側の軸心と、電磁誘導リフィル５０の軸心とが不一致となっている。具体的には、上述のように、筆記用リフィル４０と電磁誘導リフィル５０とは、各々異なる収容溝６２に配置され、かつ各々異なるガイド孔７２に挿入されているため、上記の軸心の位置が不一致となっている（図４参照）。
【００２５】
また、第１の実施形態では、ボールペンチップ４４が先軸１２に没入した状態における多機能ペン５Ａの重心が軸筒１０の軸方向の中央よりも後端側に位置している。具体的には、軸筒１０の内部空間の後端側には、その内部空間の先端側に比べて、多くの部材（例：ガイド筒７０、内筒６０、電磁誘導リフィル５０）が収容されているため、上記の状態における多機能ペン５Ａの重心が軸筒１０の軸方向の中央よりも後端側に位置している。
【００２６】
（４）作用
次に、第１の実施形態の作用、具体的には、各リフィルの使用方法について説明する。
まず、第１の実施形態における筆記用リフィル４０は、ノック棒３０を先端側へ移動させることにより、先端開口１２Ａからボールペンチップ４４が露出する。そして、このボールペンチップ４４を用いて紙面等に文字等を記載することができる。
【００２７】
続いて、電磁誘導リフィル５０の使用方法として、電磁誘導リフィル５０により入力装置（例：スマートフォン）に情報が入力される流れについて説明する。なお、入力装置は、電磁誘導リフィル５０による入力が行われる入力面が設けられており、その入力面の下面には、特定の周波数の電磁波を発生する位置検出装置が設けられている。
まず、電磁誘導リフィル５０の接触先端が押圧されると、静電容量可変のコンデンサが押圧されて静電容量が増加する。これにより、共振周波数が小さくなる。
【００２８】
ここで、上記の位置検出装置は電磁誘導リフィル５０が発する電磁波の周波数を監視しており、電磁誘導リフィル５０に筆記圧がかかっているか否かを検知することができる。
【００２９】
さらに、この電磁誘導が生じた位置を、入力装置は座標情報として認識することで、接触先端でなぞった描線等が電子データとして記録されることとなる。そのため、入力装置の入力面を接触先端でなぞると、その入力装置に文字等を描くことができる。
【００３０】
なお、接触先端への押圧が解除されると、収容筒５１の内部に収容された図示しないリターンスプリングの復元力により静電容量可変のコンデンサの静電容量も復帰する。これに伴い、共振周波数も筆圧を受けていない状態にもどるため、位置検出装置は電磁誘導リフィル５０の先端が入力面から離れたことを検知する。
【００３１】
（５）効果
第１の実施形態では、軸筒１０の先端、すなわち、先端開口１２Ａから出没可能な筆記用リフィル４０と、軸筒１０の後端、すなわち、後端開口１４Ｂから露出する電磁誘導リフィル５０とを備えている。つまり、第１の実施形態では、筆記用リフィル４０と電磁誘導リフィル５０とを備える多機能ペン５Ａにおいて、筆記用リフィル４０と電磁誘導リフィル５０とが露出する側が異なっている。
【００３２】
これにより、第１の実施形態によれば、電磁誘導リフィル５０を使用する場合に、現在、軸筒１０から露出している筆記用リフィル４０を没入させる作業（例：ノック棒３０の操作）を行う必要がない。そのため、第１の実施形態によれば、筆記用リフィル４０を軸筒１０の先端側に備え、電磁誘導リフィル５０を軸筒１０の後端側に備えることで、筆記用リフィル４０と電磁誘導リフィル５０との切替作業を行う必要がない多機能ペン５Ａを提供することができる。
【００３３】
また、第１の実施形態では、筆記用リフィル４０の後端側の軸心と、電磁誘導リフィル５０の軸心とが不一致となっている。これにより、第１の実施形態によれば、筆記用リフィル４０及び電磁誘導リフィル５０を重複して軸筒１０に配置できるため、筆記用リフィル４０の後端側の軸心と電磁誘導リフィル５０の軸心とが一致した構成、たとえば、筆記用リフィル４０の後端に電磁誘導リフィル５０が接続された構成（以下、「比較構成１」とする）に比べて、軸筒１０の軸方向の長さを短くすることができる。そのため、第１の実施形態によれば、比較構成１に比べて、軸筒１０の軸方向の長さを短くすることで多機能ペン５Ａの小型化を図ることができる。
【００３４】
また、第１の実施形態では、軸筒１０の内部には、複数の筆記用リフィル４０、具体的には、２本のボールペンリフィルが収容されている。これにより、第１の実施形態によれば、軸筒１０の内部に収容された筆記用リフィル４０が１本の構成に比べて、筆記用リフィルの種類を増やしつつ、筆記用リフィル４０と電磁誘導リフィル５０との切替作業を行う必要がない多機能ペン５Ａを提供することができる。なお、軸筒１０の内部に収容される筆記用リフィル４０は、ボールペンリフィルに限らず、他の文房具であってもよい。たとえば、他の文房具として、シャープペンシル、鉛筆、マーキングペン、消しゴム、摩擦体タッチペン芯、感圧式タッチペン芯、又は静電容量タッチペン芯等を軸筒１０の内部に複数収容してもよい。つまり、前述の文房具は、筆記用リフィル４０の概念に含まれるものである。
【００３５】
また、第１の実施形態では、ボールペンチップ４４が先軸１２に没入した状態における多機能ペン５Ａの重心が、軸筒１０の軸方向の中央よりも後端側にあるように構成されている。これにより、第１の実施形態では、上記の状態における多機能ペン５Ａの重心が軸筒１０の軸方向の中央よりも先端側にある構成に比べて、電磁誘導リフィル５０の使用時に電磁誘導リフィル５０が多機能ペン５Ａの重みで揺れることを抑制でき、電磁誘導リフィル５０の操作性を円滑にすることができる。
【００３６】
また、第１の実施形態では、筆記用リフィル４０を軸筒１０の先端側に備え、電磁誘導リフィル５０を軸筒１０の後端側に備えることで、筆記用リフィル４０及び電磁誘導リフィル５０を軸筒１０の同一側に備える構成（以下、「比較構成２」とする）に比べて、電磁誘導リフィル５０の通信に影響を及ぼすことを抑制することができる。ここで、出願人が行った実験により、電磁誘導リフィル５０の使用時において、電磁誘導リフィル５０と筆記用リフィル４０との距離が少なくとも１５ｍｍ以上離れていないと、電磁誘導リフィル５０の通信に影響を及ぼすことが確認された。これは、電磁誘導リフィル５０のフェライトコアに、筆記用リフィル４０に用いられる金属材料が干渉することで、電磁誘導に影響を及ぼしているものと推考される。
【００３７】
比較構成２では、筆記用リフィル４０と電磁誘導リフィル５０とが露出する側が同一のため、電磁誘導リフィル５０の使用時において、１５ｍｍ以上の電磁誘導リフィル５０と筆記用リフィル４０との距離を確保することが困難である。そのため、上記の実験結果を鑑みると、比較構成２では、電磁誘導リフィル５０の通信に影響を及ぼすおそれがある。これに対し、第１の実施形態によれば、筆記用リフィル４０を軸筒１０の先端側に備え、電磁誘導リフィル５０を軸筒１０の後端側に備えるため、１５ｍｍ以上、好ましくは２０ｍｍ以上の電磁誘導リフィル５０と筆記用リフィル４０との距離を確保することが容易となっている。そのため、第１の実施形態によれば、比較構成２に比べて、電磁誘導リフィル５０の通信に影響を及ぼすことを抑制することができる。
【００３８】
また、第１の実施形態では、保管状態においては、電磁誘導リフィル５０がキャップ２０で覆われており、落下時の衝撃等から電磁誘導リフィル５０が保護されている。ここで、比較構成２のような構成では、筆記用リフィル４０及び電磁誘導リフィル５０を干渉させることなく、一のリフィルを軸筒１０から露出させるために、各リフィルの先端部が収容される内部空間を広めに形成する必要がある。そのため、比較構成２では、多機能ペン５Ａの落下時において、各リフィルの先端部が必要以上に大きく揺れ動くこととなり、第１の実施形態に比べて、多くの衝撃が各リフィルの先端部に加わることとなる。つまり、第１の実施形態によれば、電磁誘導リフィル５０をキャップ２０で覆うことで、比較構成２に比べて、落下時に電磁誘導リフィル５０に加わる衝撃を軽減することができる。
【００３９】
また、第１の実施形態では、従来は他のリフィルの支持に用いられていた内筒６０及びガイド筒７０を用いて電磁誘導リフィル５０を支持することにより、電磁誘導リフィル５０及び筆記用リフィル４０を備える多機能ペン５Ａを形成している。つまり、第１の実施形態では、電磁誘導リフィル５０を配置するにあたり、新たに電磁誘導リフィル５０を配置するための専用部材を設ける必要がない。そのため、第１の実施形態によれば、既存の部材を用いることで、簡単に電磁誘導リフィル５０及び筆記用リフィル４０を備える多機能ペン５Ａを形成することができる。
【００４０】
（第２の実施形態）
次に、第２の実施形態における多機能ペン５Ｂについて、第１の実施形態との重複部分を省略しつつ説明する。
【００４１】
（１）多機能ペン５Ｂ外観
第２の実施形態に係る多機能ペン５Ｂは図６（Ａ）及び（Ｂ）に示すような外観を呈する。なお、図６（Ａ）は保管状態を示しており、図６（Ｂ）は使用状態を示している。このように、第２の実施形態では、後軸１４に対して着脱可能なキャップ２０を着脱することにより、保管状態と使用状態とが切り替わる点で第１の実施形態と共通する。
【００４２】
図８に示すように、後軸１４の後端側には窓孔１４Ａが３つ形成されている。各窓孔１４Ａからは、筆記用リフィル４０の後方に装着される３本のノック棒３０が露出している。また、後軸１４の後端に形成された後端開口１４Ｂからは、１本の電磁誘導リフィル５０が露出している。つまり、第２の実施形態では、３本の筆記用リフィル４０と１本の電磁誘導リフィル５０との合計４本のリフィルを備える点で、２本の筆記用リフィル４０と１本の電磁誘導リフィル５０との合計３本のリフィルを備える第１の実施形態と異なる。
【００４３】
また、図６から図８に示すように、第２の実施形態における軸筒１０は、先軸１２及び後軸１４の間の表面を形成する中軸８０を備えている。
【００４４】
（２）多機能ペン５Ｂ内部
図７（Ａ）及び（Ｂ）は、図６（Ａ）及び（Ｂ）に示す多機能ペン５Ｂに各々対応する断面図である。
図７に示すように、後軸１４の内部空間において、筆記用リフィル４０の後端とノック棒３０の先端との間には、両者を接続する棒状のリフィル尾栓４６が配置されている。このリフィル尾栓４６の外周にはスプリング４８が外挿されている。
【００４５】
また、後軸１４の内部空間には、リフィル尾栓４６を軸方向に沿って案内するスペーサ１００が配置されている。このスペーサ１００は、挿入された３本の筆記用リフィル４０の後端側を軸方向に沿って案内するとともに、スプリング４８が外挿されたリフィル尾栓４６を前後に移動可能に保持するものである。なお、スペーサ１００の後端には、電磁誘導リフィル５０との接続に用いられる接続部１０２が設けられている。
【００４６】
後軸１４の内部空間におけるスペーサ１００よりも後端側には、その内部空間で回転可能、かつ前後に往復動可能な回転カム９０が配置されている。この回転カム９０には、軸方向に貫通する貫通孔９２が形成されている。
【００４７】
また、後軸１４の内部空間における回転カム９０よりも後端側には、電磁誘導リフィル５０の先端側を支持する支持孔１４Ｃが形成されている。
ここで、第２の実施形態における電磁誘導リフィル５０の後端側は、円柱の下面の一部が上面側に向けて軸方向に沿って窪んでおり、その窪んだ部分が接続部１０２を嵌合させる凹部５５となっている。
【００４８】
そして、この電磁誘導リフィル５０は、接続部１０２が凹部５５と嵌合することで、その後端側がスペーサ１００に接続され、その先端側が支持孔１４Ｃに挿入されることで、その先端側が後軸１４に接続されている。
【００４９】
また、この電磁誘導リフィル５０は、軸方向の中間部分が貫通孔９２に挿入されていることで、回転カム９０を回転自在に支持している。なお、電磁誘導リフィル５０における凹部５５のやや先端側の周囲には、後軸１４の後端側に向かって回転カム９０を付勢するスプリング５６が外挿されている。
【００５０】
なお、第２の実施形態では、電磁誘導リフィル５０が回転カム９０を回転自在に支持している、すなわち、電磁誘導リフィル５０が筆記用リフィル４０の繰出機構の芯部材の機能を有することとしたが、この構成には限られない。たとえば、電磁誘導リフィル５０を中空の芯棒で覆うこととして、その芯棒に筆記用リフィル４０の繰出機構の芯部材の機能を担わせ、芯棒が回転カム９０を回転自在に支持することとしてもよい。
【００５１】
（３）その他の特徴
第２の実施形態では、第１の実施形態と同様に、筆記用リフィル４０の後端側の軸心と、電磁誘導リフィル５０の軸心とが不一致となっている。具体的には、電磁誘導リフィル５０は、スペーサ１００に挿入された３本の筆記用リフィル４０を避けつつ、後軸１４の内部空間に配置されている。より詳しくは、この電磁誘導リフィル５０は、３本の筆記用リフィル４０を避けた位置として、図９に示すように、電磁誘導リフィル５０の軸心Ｃ１と、軸筒１０の軸心Ｃ２とが一致する軸筒１０の径方向の中心に配置されている。このような電磁誘導リフィル５０の配置により、図９に示すように、電磁誘導リフィル５０の軸心Ｃ１と、筆記用リフィル４０の後端側の軸心Ｃ３とが不一致となっている。
【００５２】
（４）作用
次に、第２の実施形態の作用、具体的には、各リフィルの使用方法について説明する。
まず、第２の実施形態における筆記用リフィル４０の繰出機構は、回転カム９０を用いた回転カム式の繰出機構が用いられている。各筆記用リフィル４０は、ノック棒３０の先端側への移動に伴い回転カム９０が径方向に回転することで、先端開口１２Ａからボールペンチップ４４が出没することとなっている。
【００５３】
また、電磁誘導リフィル５０を使用する場合には、まず、後軸１４からキャップ２０を取り外して使用状態とする。そして、この使用状態において、入力装置の入力面を電磁誘導リフィル５０でなぞることで、その入力装置に文字等を描くことができる。
【００５４】
（５）効果
第２の実施形態では、電磁誘導リフィル５０は、軸筒１０の軸心上に配置されている。具体的には、第２の実施形態では、図９に示すように、電磁誘導リフィル５０の軸心Ｃ１と、軸筒１０の軸心Ｃ２とが一致している。そして、軸心Ｃ１及び軸心Ｃ２は、一直線に延びている。これにより、第２の実施形態では、電磁誘導リフィル５０の軸心が一直線でない構成（以下、「比較構成３」とする）と異なり、電磁誘導リフィル５０が曲がった状態で使用されることがない。そのため、第２の実施形態よれば、比較構成３に比べて、使用時における電磁誘導リフィル５０に対する負荷を軽減できるので、長期に渡って同一の電磁誘導リフィル５０を使用することができる。また、電磁誘導リフィル５０の交換が容易である。
【００５５】
（第３の実施形態）
次に、第３の実施形態における多機能ペン５Ｃについて、第１又は第２の実施形態との重複部分を省略しつつ説明する。
【００５６】
（１）多機能ペン５Ｃ外観
第３の実施形態に係る多機能ペン５Ｃは図１０（Ａ）及び（Ｂ）に示すような外観を呈する。なお、図１０（Ａ）は保管状態を示しており、図１０（Ｂ）は使用状態を示している。そして、第３の実施形態は、キャップ２０の着脱により保管状態と使用状態とが切り替わる第１又は第２の実施形態と異なり、スライドカバー１１０の前後の移動に伴って保管状態と使用状態とが切り替わる構成とされている。
【００５７】
なお、第３の実施形態における多機能ペン５Ｃの構造は、基本的に第２の実施形態と同様のため、共通部分の説明は省略して、その相違点のみを説明する。
ここで、第３の実施形態における後軸１４は図１１（Ａ）に示すような外観を呈している。また、図１１（Ｂ）は、図１１（Ａ）に示す後軸１４に対応する断面図である。
【００５８】
図１１に示すように、後軸１４の後端側には、２つの窓孔１４Ａの間に、スライドカバー１１０を移動させるための移動溝１４Ｄが軸方向に沿って形成されている。図１１（Ｂ）に示すように、この移動溝１４Ｄの後端の直前には、外側に突出した突起部１４Ｅが設けられ、移動溝１４Ｄの先端の直後には、外側に突出した突起部１４Ｆが設けられている。そして、突起部１４Ｅと移動溝１４Ｄの後端との間には、スライドカバー１１０の後述する突起部１１４と係合する係合溝１４Ｇが形成され、突起部１４Ｆと移動溝１４Ｄの先端との間には、突起部１１４と係合する係合溝１４Ｈが形成されている。
【００５９】
また、スライドカバー１１０は図１２（Ａ）に示すような外観を呈している。そして、図１２（Ｂ）は、図１２（Ａ）に示すスライドカバー１１０に対応する断面図である。
図１２に示すように、スライドカバー１１０の先端には、内側に突出した突起部１１４が設けられている。また、スライドカバー１１０の後端には、電磁誘導リフィル５０を露出させるための露出開口１１２が形成されている。
【００６０】
突起部１１４は、図１３（Ａ）に示す保管状態においては、係合溝１４Ｇと係合しており、図１３（Ｂ）に示す使用状態においては、係合溝１４Ｈと係合している。そして、突起部１１４と係合溝１４Ｇとが係合した保管状態においては、スライドカバー１１０により電磁誘導リフィル５０が被覆されている（図１３（Ａ）参照）。一方、突起部１１４と係合溝１４Ｈとが係合した使用状態においては、スライドカバー１１０の露出開口１１２から電磁誘導リフィル５０が露出している（図１３（Ｂ）参照）。
【００６１】
（２）作用
次に、第３の実施形態の作用、具体的には、各リフィルの使用方法について説明する。なお、筆記用リフィル４０の使用方法は、第２の実施形態と同様のため、説明を省略する。
【００６２】
電磁誘導リフィル５０を使用する場合には、まず、保管状態において、スライドカバー１１０を先端側に押し込む。この押し込みにより、係合溝１４Ｇと係合している突起部１１４が突起部１４Ｅを乗り越え、係合溝１４Ｇと突起部１１４との係合が解除される。係合溝１４Ｇと突起部１１４との係合が解除された状態から、さらにスライドカバー１１０を先端側に押し込むと、移動溝１４Ｄに沿ってスライドカバー１１０が先端側へ移動する。そして、スライドカバー１１０が移動溝１４Ｄの先端付近に達すると、突起部１１４が突起部１４Ｆに接触する。突起部１１４が突起部１４Ｆに接触した状態から、さらにスライドカバー１１０を先端側に押し込むと、突起部１１４が突起部１４Ｆを乗り越え、係合溝１４Ｈと突起部１１４とが係合される。以上により、第３の実施形態における多機能ペン５Ｃは、保管状態から使用状態となる。そして、この使用状態において、入力装置の入力面を電磁誘導リフィル５０でなぞることで、その入力装置に文字等を描くことができる。
【００６３】
なお、使用状態から保管状態にする場合には、上述の動作を反対側（後端側）に向けて行えばよい。つまり、使用状態において、スライドカバー１１０を後端側に引っ張ることで、係合溝１４Ｈと突起部１１４との係合が解除され、移動溝１４Ｄの後端付近に達した突起部１１４が突起部１４Ｅを乗り越えることで、係合溝１４Ｇと突起部１１４とが係合される。これにより、第３の実施形態における多機能ペン５Ｃは、使用状態から保管状態となる。
【００６４】
（第４の実施形態）
次に、第４の実施形態における多機能ペン５Ｄについて、第１、第２又は第３の実施形態との重複部分を省略しつつ説明する。
【００６５】
（１）多機能ペン５Ｄ外観
第４の実施形態に係る多機能ペン５Ｄは図１４（Ａ）及び（Ｂ）に示すような外観を呈する。なお、図１４（Ａ）は保管状態を示しており、図１４（Ｂ）は使用状態を示している。そして、第４の実施形態は、後述する回転機構１２０の作動により保管状態と使用状態とが切り替わる点で、第１、第２又は第３の実施形態の構成と異なっている。
【００６６】
なお、第４の実施形態における多機能ペン５Ｄの構造は、基本的に第２又は第３の実施形態と同様のため、共通部分の説明は省略して、その相違点のみを説明する。
図１５（Ａ）及び（Ｂ）は、図１４（Ａ）及び（Ｂ）に示す多機能ペン５Ｄに各々対応する後端部分の拡大断面図である。
【００６７】
図１５に示すように、回転機構１２０は、土台１３０と、回転体１４０と、移動体１５０とを備えている。そして、この回転機構１２０は、後軸１４の後端側の部分である後軸後端部１４Ｊに固定されることにより、軸筒１０の一部を構成している。
【００６８】
土台１３０は、回転機構１２０において、後軸後端部１４Ｊに固定される部材である。つまり、土台１３０は、後軸後端部１４Ｊに固定されて動かないため、回転体１４０の後述する回転部１４８が回転した場合に、その回転に伴い共に回転することがない。そして、この土台１３０は、図１６（Ａ）に示すように、その内部が空洞の中空部材であって、図１６（Ｂ）に示すように、その先端側から、挿入部１３１と、圧入部１３２と、鍔部１３３と、連結部１３４とを備えている。
【００６９】
挿入部１３１は、土台１３０において、後軸後端部１４Ｊに挿入される円筒部分である。この挿入部１３１の外径は、後軸後端部１４Ｊの内径よりも小さい。
【００７０】
圧入部１３２は、土台１３０において、後軸後端部１４Ｊに圧入される環状部分である。この圧入部１３２の外径は、後軸後端部１４Ｊの内径よりもやや小さい。つまり、後軸後端部１４Ｊに挿入部１３１が挿入された後に、圧入部１３２が後軸後端部１４Ｊに圧入されることで、土台１３０が後軸後端部１４Ｊに固定される。
【００７１】
鍔部１３３は、土台１３０において、後軸後端部１４Ｊに対する土台１３０の挿入を制止する環状部分である。この鍔部１３３の外径は、後軸後端部１４Ｊの内径よりも大きい。つまり、土台１３０は、鍔部１３３が後軸後端部１４Ｊに接触するまで後軸後端部１４Ｊに挿入される。
【００７２】
連結部１３４は、土台１３０において、回転体１４０の後述する回転部１４８と連結される円筒部分である。
また、図１６（Ａ）に示すように、土台１３０の内周面には、その先端から後端にかけて螺旋状に形成された内周溝１３５を有している。
【００７３】
回転体１４０は、略円筒形状を呈しており、回転機構１２０において、周方向に回転することにより、後述する移動体１５０を前後に移動させる部材である。この回転体１４０は、図１７に示すように、その内部が空洞の中空部材であって、円筒部１４２と、回転部１４８とを備えている。
【００７４】
円筒部１４２は、回転体１４０において、軸方向に延びる円筒形状を呈し、土台１３０に挿入される部分である。この円筒部１４２の外径は、土台１３０の内径よりも小さい。また、円筒部１４２は、その外周面の軸方向に沿って開口した２つの筒孔１４４と、その先端において外側に突出した突起部１４６とを備えている。この突起部１４６は、円筒部１４２が土台１３０に挿入された際に挿入部１３１の先端面と係合することで、円筒部１４２が土台１３０から抜けることを抑制する抜け止めとして機能する。
【００７５】
回転部１４８は、回転体１４０において、円筒部１４２の後端側の外周面を覆う円筒部分である。この回転部１４８の外径は、連結部１３４の外径と同等である。つまり、この回転部１４８は、円筒部１４２が土台１３０に挿入された際に連結部１３４と連結することとなっている。
【００７６】
移動体１５０は、回転機構１２０において、回転体１４０の回転に伴い前後に移動する部材である。この移動体１５０は、図１８に示すように、板部１５１を備えている。
【００７７】
板部１５１は、長手側の２つの長板部１５２と、これらの長板部１５２の一端を繋ぐ短手側の１つの短板部１５３とを備えている。この短板部１５３の長さは、回転体１４０及び土台１３０の内径よりもやや小さい。
【００７８】
２つの長板部１５２には、各々の外面から外側に突出した突起部１５４が設けられている。この突起部１５４の形状は、内周溝１３５の螺旋形状に対応した形状とされている。また、突起部１５４は、回転体１４０の筒孔１４４に対応する突起であって、移動体１５０が回転体１４０（円筒部１４２）に装着された際に筒孔１４４から突出することとなっている。さらに、突起部１５４は、移動体１５０が装着された回転体１４０（円筒部１４２）が土台１３０に挿入された際に内周溝１３５と係合することとなっている。詳細は後述するが、突起部１５４と内周溝１３５とが係合した状態で回転部１４８を周方向に回転させることにより、移動体１５０が前後に移動することとなっている。
【００７９】
さらに、各々の長板部１５２の一端（短板部１５３側の端部）とは反対側の他端には、内側に突出した突起が設けられており、これらの２つの突起により、電磁誘導リフィル５０を挟持する挟持部１５５が形成されている。この挟持部１５５の幅（２つの突起間の長さ）は、電磁誘導リフィル５０の外径よりもやや狭い。つまり、電磁誘導リフィル５０は、挟持部１５５に圧入されることで移動体１５０に固定される。
【００８０】
（２）作用
次に、第４の実施形態の作用、具体的には、回転機構１２０が組み立てられ、後軸後端部１４Ｊに取り付けられるまでの流れについて説明する。また、回転機構１２０の作動により電磁誘導リフィル５０が後端開口１４Ｂから出没する流れについて説明する。
【００８１】
以下、回転機構１２０が組み立て手順の一例について説明する。
まず、電磁誘導リフィル５０を挟持部１５５に圧入することにより、挟持部１５５に電磁誘導リフィル５０を挟持させ、電磁誘導リフィル５０と移動体１５０とを固定する。次に、電磁誘導リフィル５０が固定された移動体１５０を円筒部１４２に装着する。具体的には、突起部１５４を筒孔１４４に対応させつつ、回転部１４８から先端側に向けて移動体１５０を挿入していき、突起部１５４を内側に弾性変形させながら回転部１４８を通過させる。これにより、移動体１５０は円筒部１４２に装着され、筒孔１４４から突起部１５４が突出した状態となる。つまり、回転体１４０に移動体１５０が装着される。
【００８２】
次に、移動体１５０が装着された回転体１４０を土台１３０に挿入する。具体的には、回転部１４８が連結部１３４に接触するまで円筒部１４２を土台１３０に挿入して、突起部１４６を内側に弾性変形させながら回転部１４８と連結部１３４とを連結させる。そして、回転部１４８と連結部１３４とが連結した状態では、円筒部１４２の先端が挿入部１３１の先端から露出して、突起部１４６が挿入部１３１の先端面に係合される。また、回転部１４８と連結部１３４とが連結した状態では、突起部１５４と内周溝１３５とが係合される。以上により、回転体１４０が土台１３０に装着される。
【００８３】
その後、回転体１４０が装着された土台１３０を後軸後端部１４Ｊに挿入する。具体的には、挿入部１３１から後軸後端部１４Ｊに挿入していき、圧入部１３２が後軸後端部１４Ｊに圧入された後、鍔部１３３が後軸後端部１４Ｊに接触するまで、土台１３０を後軸後端部１４Ｊに挿入する。これにより、土台１３０が後軸後端部１４Ｊに装着され、回転機構１２０が後軸後端部１４Ｊに固定される。
【００８４】
続いて、回転機構１２０の作動により電磁誘導リフィル５０が後端開口１４Ｂから出没する流れについて説明する。以下では、前提として、多機能ペン５Ｄが図１５（Ａ）に示す保管状態にあるものとする。
【００８５】
この保管状態において、回転部１４８を周方向の一方側に回転させると、内周溝１３５に対して突起部１５４が係合している移動体１５０が回転体１４０の周方向の一方側への回転に伴って、内周溝１３５の螺旋形状に沿って後端側に移動する。これにより、移動体１５０に固定された電磁誘導リフィル５０が後端開口１４Ｂから露出し、保管状態から使用状態となる（図１５（Ｂ）参照）。
【００８６】
一方、使用状態において、回転部１４８を上記の一方側とは反対側に回転させると、内周溝１３５に対して突起部１５４が係合している移動体１５０が回転体１４０の周方向の一方側とは反対側への回転に伴って、内周溝１３５の螺旋形状に沿って先端側に移動する。これにより、移動体１５０に固定された電磁誘導リフィル５０が回転機構１２０に収容され、使用状態から保管状態となる（図１５（Ａ）参照）。
【００８７】
（第５の実施形態）
次に、第５の実施形態における多機能ペン５Ｅについて、第１、第２、第３又は第４の実施形態との重複部分を省略しつつ説明する。
【００８８】
（１）多機能ペン５Ｅ外観
第５の実施形態に係る多機能ペン５Ｅは図１９（Ａ）及び（Ｂ）に示すような外観を呈する。なお、図１９（Ａ）は保管状態を示しており、図１９（Ｂ）は使用状態を示している。そして、第５の実施形態は、後述する突出機構１６０の作動により保管状態と使用状態とが切り替わる点で、第１、第２、第３又は第４の実施形態の構成と異なっている。
【００８９】
なお、第５の実施形態における多機能ペン５Ｅの構造は、基本的に第２、第３又は第４の実施形態と同様のため、共通部分の説明は省略して、その相違点のみを説明する。
図２０（Ａ）及び（Ｂ）は、図１９（Ａ）及び（Ｂ）に示す多機能ペン５Ｅに各々対応する後端部分の拡大断面図である。
【００９０】
図２０に示すように、突出機構１６０は、後軸後端部１４Ｊに収容された、おもり１７０、おもり受け１８０、及びストッパー１９０と、後軸後端部１４Ｊの後端に装着されたキャップ２０とを備えている。
【００９１】
おもり１７０は、図２０及び図２１に示すように、突出機構１６０において、円筒状に形成された重量物である。また、おもり受け１８０は、図２０及び図２１に示すように、突出機構１６０において、おもり１７０の後端側に配置された円筒状の部材であって、おもり１７０と接触するものである。このおもり受け１８０の外径は、おもり１７０の外径よりも小さい。また、おもり１７０の後端面側は調心のための面取部を形成してもよい。
【００９２】
ここで、図２０に示すように、おもり１７０には、その軸方向に貫通する貫通孔１７２が形成され、おもり受け１８０には、その軸方向に貫通する貫通孔１８２が形成されている。そして、貫通孔１７２の径は、電磁誘導リフィル５０の外径よりも大きい。そのため、おもり１７０は、貫通孔１７２に挿入された電磁誘導リフィル５０の上を前後に移動することができる。一方、貫通孔１８２の径は、電磁誘導リフィル５０の外径よりもやや小さい。そのため、おもり受け１８０は、貫通孔１８２に電磁誘導リフィル５０が圧入されることで電磁誘導リフィル５０と固定され、電磁誘導リフィル５０の上を前後に移動することができない。
【００９３】
ストッパー１９０は、図２０及び図２１に示すように、突出機構１６０において、円筒状に形成された部材であって、おもり１７０が先端側に落下した際におもり１７０と接触するものである。このストッパー１９０には、おもり１７０と接触する部分として、ストッパー１９０の内側に段差を有するよう形成されたストッパー段部１９２が設けられている。そして、ストッパー１９０は、ストッパー段部１９２が後端側に位置するようにして、後軸後端部１４Ｊの内部空間における先端側に配置されている。
【００９４】
キャップ２０は、図２０及び図２１に示すように、突出機構１６０において、円筒状に形成された部材であって、おもり１７０、おもり受け１８０及び電磁誘導リフィル５０が後端側に落下した際におもり受け１８０と接触するものである。このキャップ２０には、おもり受け１８０と接触する部分として、キャップ２０の内側に段差を有するよう形成されたキャップ段部２４が設けられている。そして、このキャップ２０は、後軸後端部１４Ｊに装着されることにより、軸筒１０の一部を構成している。なお、キャップ２０の後端には、電磁誘導リフィル５０を出没させるための後端開口１４Ｂが形成されている。
【００９５】
ここで、図２０及び図２１に示すように、第５の実施形態における電磁誘導リフィル５０は、その後端に円盤状の円盤部５７が装着されている。この円盤部５７の外径は、ストッパー段部１９２よりも先端側のストッパー１９０の部分の内径よりも小さい。これにより、電磁誘導リフィル５０は、図２０（Ａ）に示す保管状態において、円盤部５７がストッパー１９０よりも先端側まで落下して、後軸後端部１４Ｊに設けられた支持部１４Ｉに円盤部５７が支持される。
【００９６】
（２）作用
次に、第５の実施形態の作用、具体的には、突出機構１６０の作動により電磁誘導リフィル５０が後端開口１４Ｂから出没する流れについて説明する。なお、以下では、前提として、多機能ペン５Ｅが図２０（Ａ）に示す保管状態にあるものとする。
【００９７】
この保管状態において、後端開口１４Ｂが下向きになるよう多機能ペン５Ｅを反転させると、おもり１７０の重量により、おもり１７０及びおもり受け１８０と、おもり受け１８０に固定された電磁誘導リフィル５０とが後端側へ落下する。すると、電磁誘導リフィル５０が後端開口１４Ｂから露出する。また、この際には、おもり受け１８０がキャップ段部２４と係合するため、電磁誘導リフィル５０が後軸後端部１４Ｊから抜け落ちることがない。以上により、多機能ペン５Ｅは、保管状態から使用状態となる（図２０（Ｂ）参照）。
【００９８】
そして、使用状態において、多機能ペン５Ｅを斜めに傾けて電磁誘導リフィル５０で入力装置の入力面を操作（押圧）すると、おもり１７０、おもり受け１８０及び電磁誘導リフィル５０が先端側へ移動して、円盤部５７とストッパー段部１９２とが係合する。これにより、電磁誘導リフィル５０の使用時において、電磁誘導リフィル５０が支持部１４Ｉ側に移動（落下）することが阻止でき、使用状態にて電磁誘導リフィル５０を用いて入力装置を操作することができる。
【００９９】
また、この使用状態において、後端開口１４Ｂが上向きになるよう多機能ペン５Ｅを反転させると、まず、おもり１７０が先端側へ落下する。すると、おもり１７０が円盤部５７に接触して、円盤部５７とストッパー段部１９２との係合が解除され、おもり受け１８０及び電磁誘導リフィル５０が先端側へ落下する。なお、おもり１７０がストッパー段部１９２と係合している円盤部５７を排除した後は、おもり１７０の先端面がストッパー段部１９２に係合されるため、それ以上、おもり１７０が先端側に落下することがない。
【０１００】
そして、先端側へ落下した電磁誘導リフィル５０は、おもり受け１８０がおもり１７０に接触するまで支持部１４Ｉ側に案内されて、円盤部５７が支持部１４Ｉの内部に引き込まれる。これにより、電磁誘導リフィル５０の露出部分がキャップ２０に収容され、使用状態から保管状態となる（図２０（Ａ）参照）。
【０１０１】
（第６の実施形態）
次に、第６の実施形態における多機能ペン５Ｆについて、第１、第２、第３、第４又は第５の実施形態との重複部分を省略しつつ説明する。
【０１０２】
（１）多機能ペン５Ｆ外観
第６の実施形態に係る多機能ペン５Ｆは図２２（Ａ）及び（Ｂ）に示すような外観を呈する。なお、図２２（Ａ）は保管状態を示しており、図２２（Ｂ）は使用状態を示している。このように、第６の実施形態では、後軸１４に対して着脱可能なキャップ２０を着脱することにより、保管状態と使用状態とが切り替わる点で第１又は第２の実施形態と共通する。
【０１０３】
（２）多機能ペン５Ｆ内部
図２３（Ａ）及び（Ｂ）は、図２２（Ａ）及び（Ｂ）に示す多機能ペン５Ｆに各々対応する断面図である。
【０１０４】
図２３に示すように、後軸１４の内部空間における先端側には筆記用リフィル４０の軸心の位置を誘導する誘導部２００が配置されている。誘導部２００の詳細については後述する。また、後軸１４の後端には、後端開口１４Ｂを塞ぐ蓋部２１０が後軸１４に対して着脱可能に装着されている。この蓋部２１０には、電磁誘導リフィル５０の外径よりもやや長い径に形成された蓋部圧入孔２１２が設けられている。さらに、後軸１４には、１本の筆記用リフィル４０と１本の電磁誘導リフィル５０との合計２本のリフィルが収容されている。このように、第６の実施形態では、筆記用リフィル４０を１本のみ備える点で、複数の筆記用リフィル４０を備える第１から第５の実施形態と異なる。
【０１０５】
図２４に示すように、誘導部２００は、円柱の軸方向に形成された傾斜溝２０４を有する傾斜誘導部２０２を備えている。傾斜溝２０４は、図２４（Ｂ）に示すように、その先端から後端にかけて、傾斜面２０６が傾斜誘導部２０２の径方向に盛り上がる形状を呈している。これにより、傾斜溝２０４の先端側の溝の深さは、筆記用リフィル４０の外径よりも長くなっているが、傾斜溝２０４の後端側の溝の深さは、筆記用リフィル４０の外径と同程度となっている。
【０１０６】
そして、図２３に示すように、後軸１４の内部空間に誘導部２００が配置された状態で、その内部空間に筆記用リフィル４０を挿入すると、筆記用リフィル４０は傾斜面２０６の傾斜に沿って変形する。これにより、この筆記用リフィル４０は、後軸１４に収容された状態では、その先端側の軸心が後軸１４の軸心と一致しているが、その後端側の軸心が後軸１４の軸心と不一致となっている。
【０１０７】
ここで、第６の実施形態における電磁誘導リフィル５０は、蓋部圧入孔２１２に圧入される。その後、この電磁誘導リフィル５０は、その後端が誘導部２００の後面に接触するまで後軸１４に挿入される。そして、電磁誘導リフィル５０の後端が誘導部２００の後面に接触した状態では、電磁誘導リフィル５０の軸心と後軸１４の軸心とが一致している。すなわち、この電磁誘導リフィル５０の後端が誘導部２００の後面に接触した状態では、電磁誘導リフィル５０の軸心と筆記用リフィル４０の後端側の軸心とが不一致となっている。
【０１０８】
（３）その他の特徴
第６の実施形態では、後軸１４に収容される前の軸方向の長さが、９５ｍｍ以上、好ましくは、１２０ｍｍ以上の筆記用リフィル４０を用いている。また、第６の実施形態では、軸方向の長さが５０ｍｍ以上の電磁誘導リフィル５０を用いている。そして、第６の実施形態では、保管状態における多機能ペン５Ｆの軸方向の長さが１４５ｍｍ未満となっている。
【０１０９】
つまり、第６の実施形態では、電磁誘導リフィル５０の軸心と筆記用リフィル４０の後端側の軸心とを不一致とした状態で、これらの部材を軸筒１０に収容することにより、多機能ペン５Ｆの軸方向の長さを短くしている。具体的には、後軸１４に収容された状態では、電磁誘導リフィル５０の軸心と筆記用リフィル４０の後端側の軸心とが不一致となるため、これらの軸心が一致した構成に比べて、軸筒１０の内部空間を節約することができる。その他にも、軸筒１０に収容された状態では、筆記用リフィル４０が傾斜面２０６の傾斜に沿って変形されるため、その変形前に比べて、筆記用リフィル４０の軸方向の長さが短くなるので、軸心が一直線の筆記用リフィル４０を軸筒１０に収容する構成に比べて、軸筒１０の内部空間を節約することができる。
【０１１０】
さらに、第６の実施形態では、後軸１４に収容される前の軸方向の長さが１００ｍｍ以上の筆記用リフィル４０（ボールペンリフィル）を用いているため、その軸方向の長さが１００ｍｍ未満のボールペンリフィルを用いる構成に比べて、インク収容管４２に収容されるインクの量を多くすることができる。そのため、第６の実施形態によれば、筆記用リフィル４０と電磁誘導リフィル５０とを備える多機能ペン５Ｆにおいて、筆記用リフィル４０の寿命を長くしつつ、その軸方向の長さの小型化を図ることができる。
【符号の説明】
【０１１１】
５Ａ〜５Ｆ  多機能ペン
１０  軸筒                                
１２  先軸                                １２Ａ  先端開口
１４  後軸                                １４Ａ  窓孔
１４Ｂ  後端開口                          １４Ｃ  支持孔
１４Ｄ  移動溝                            １４Ｅ  突起部
１４Ｆ  突起部                            １４Ｇ  係合溝
１４Ｈ  係合溝                            １４Ｉ  支持部
１４Ｊ  後軸後端部
２０  キャップ                            ２２  キャップ孔
２４  キャップ段部                        
３０  ノック棒
４０  筆記用リフィル                      ４２  インク収容管
４４  ボールペンチップ                    ４６  リフィル尾栓
４８  スプリング
５０  電磁誘導リフィル                    ５１  収容筒
５２  リング部                            ５３  固定部
５４  突起部                              ５５  凹部
５６  スプリング                          ５７  円盤部
６０  内筒                                ６２  収容溝
７０  ガイド筒                            ７２  ガイド孔
８０  中軸
９０  回転カム                            ９２  貫通孔
１００  スペーサ                          １０２  接続部
１１０  スライドカバー                    １１２  露出開口
１１４  突起部
１２０  回転機構
１３０  土台                              １３１  挿入部
１３２  圧入部                            １３３  鍔部
１３４  連結部                            １３５  内周溝
１４０  回転体                            １４２  円筒部
１４４  筒孔                              １４６  突起部
１４８  回転部
１５０  移動体                            １５１  板部
１５２  長板部                            １５３  短板部
１５４  突起部                            １５５  挟持部
１６０  突出機構
１７０  おもり                            １７２  貫通孔
１８０  おもり受け                        １８２  貫通孔
１９０  ストッパー                        １９２  ストッパー段部
２００  誘導部                            ２０２  傾斜誘導部
２０４  傾斜溝                            ２０６  傾斜面
２１０  蓋部                              ２１２  蓋部圧入孔
【図１】
2019101475.tif 000003
【図２】
2019101475.tif 000004
【図３】
2019101475.tif 000005
【図４】
2019101475.tif 000006
【図５】
2019101475.tif 000007
【図６】
2019101475.tif 000008
【図７】
2019101475.tif 000009
【図８】
2019101475.tif 000010
【図９】
2019101475.tif 000011
【図１０】
2019101475.tif 000012
【図１１】
2019101475.tif 000013
【図１２】
2019101475.tif 000014
【図１３】
2019101475.tif 000015
【図１４】
2019101475.tif 000016
【図１５】
2019101475.tif 000017
【図１６】
2019101475.tif 000018
【図１７】
2019101475.tif 000019
【図１８】
2019101475.tif 000020
【図１９】
2019101475.tif 000021
【図２０】
2019101475.tif 000022
【図２１】
2019101475.tif 000023
【図２２】
2019101475.tif 000024
【図２３】
2019101475.tif 000025
【図２４】
2019101475.tif 000026